【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
下記の構成要件（Ａ01）〜（Ａ06）を備えたことを特徴とする技術文献情報表示システム
、
（Ａ01）技術文献に記載された技術内容毎に付与された技術分類情報を含む多数の技術文
献の情報を記憶する技術文献情報記憶手段、
（Ａ02）前記技術文献情報記憶手段に記憶された技術文献の中から抽出された技術文献の
情報を記憶する抽出技術文献情報記憶手段、
（Ａ03）前記抽出技術文献情報記憶手段に記憶された抽出技術文献の技術分類情報の出現
頻度を抽出する頻度抽出手段、
（Ａ04）前記技術分類情報と、前記技術分類情報に対応する技術内容を特定する技術内容
特定情報と、を有し、前記技術内容特定情報を前記技術分類情報に対応させて表示する技
術分類一覧表を記憶する技術分類一覧表記憶手段、
（Ａ05）前記頻度抽出手段で抽出された前記技術分類情報の出現頻度を前記技術分類一覧
表に付与した頻度情報付与一覧表であって、前記出現頻度が付与された前記技術分類情報
と前記出現頻度が付与されていない前記技術分類情報とを含む前記頻度情報付与一覧表を
作成する頻度情報付与一覧表作成手段、
（Ａ06）前記頻度情報付与一覧表を表示する情報表示画面。
【請求項２】
下記の構成要件（Ａ07）〜（Ａ010）を備えたことを特徴とする請求項１記載の技術文献
情報表示システム、
（Ａ07）前記技術文献情報記憶手段に記憶された技術文献の情報を検索条件に基づいて検
索する技術文献検索手段、
（Ａ08）前記技術文献検索手段により検索された技術文献の技術内容を表示する検索結果
表示手段、
（Ａ09）前記検索結果表示手段により表示された技術文献の中から抽出された技術文献が
有ったか否かを判別する文献抽出判別手段、
（Ａ010）前記抽出された技術文献の情報を記憶する前記抽出技術文献情報記憶手段。
【請求項３】
下記の構成要件（Ａ011）を備えたことを特徴とする請求項１または２記載の技術文献情
報表示システム、
（Ａ011）Ｆタームにより構成された前記技術分類情報。
【請求項４】
下記の構成要件（Ａ012）を備えたことを特徴とする請求項１ないし３のいずれか記載の
技術文献情報表示システム、
（Ａ012）公開特許公報、公表特許公報、特許公報、実用新案登録公報、登録実用新案公
報、公開実用新案公報および公表実用新案公報により構成された前記技術文献。
【請求項５】
下記の構成要件（Ｂ01）〜（Ｂ04）を備えたことを特徴とする技術文献情報表示装置、
（Ｂ01）技術文献に記載された技術内容毎に付与された技術分類情報を含む多数の技術文
献の中から抽出された技術文献の情報を記憶する抽出技術文献情報記憶手段、
（Ｂ02）前記抽出技術文献情報記憶手段に記憶された抽出技術文献の技術分類情報の出現
頻度を抽出する頻度抽出手段、
（Ｂ03）前記技術分類情報に対応する技術内容を特定する技術内容特定情報を前記技術分
類情報に対応させて表示する技術分類一覧表に、前記頻度抽出手段で抽出された前記技術
分類情報の出現頻度を付与した頻度情報付与一覧表であって、前記出現頻度が付与された
前記技術分類情報と前記出現頻度が付与されていない前記技術分類情報とを含む前記頻度
情報付与一覧表を作成する頻度情報付与一覧表作成手段、
（Ｂ04）前記頻度情報付与一覧表を表示する情報表示画面。
【請求項６】
下記の構成要件（Ｂ05），（Ｂ06）を備えたことを特徴とする請求項５記載の技術文献情
報表示装置、
（Ｂ05）前記検索結果表示手段により表示された技術文献の中から抽出された技術文献が
有ったか否かを判別する文献抽出判別手段、
（Ｂ06）抽出された前記技術文献の情報を記憶する前記抽出技術文献情報記憶手段。
【請求項７】
コンピュータを、
技術文献に記載された技術内容毎に付与された技術分類情報を含む多数の技術文献の中
から抽出された技術文献の情報を記憶する抽出技術文献情報記憶手段、
前記抽出技術文献情報記憶手段に記憶された抽出技術文献の技術分類情報の出現頻度を
抽出する頻度抽出手段、
前記技術分類情報に対応する技術内容を特定する技術内容特定情報を前記技術分類情報
に対応させて表示する技術分類一覧表に、前記頻度抽出手段で抽出された前記技術分類情
報の出現頻度を付与した頻度情報付与一覧表であって、前記出現頻度が付与された前記技
術分類情報と前記出現頻度が付与されていない前記技術分類情報とを含む前記頻度情報付
与一覧表を作成する頻度情報付与一覧表作成手段、
として機能させるための技術文献情報表示プログラム。
【請求項８】
コンピュータを、
技術文献に記載された技術内容毎に付与された技術分類情報を含む多数の技術文献の中
から検索条件に基づいて検索された技術文献の技術内容を表示する検索結果表示手段、
前記検索結果表示手段により表示された技術文献の中から抽出された技術文献が有った
か否かを判別する文献抽出判別手段、
抽出された前記技術文献の情報を記憶する前記抽出技術文献情報記憶手段、
として機能させるための請求項７記載の技術文献情報表示プログラム。
【手続補正２】
【補正対象書類名】明細書
【補正対象項目名】００１１
【補正方法】変更
【補正の内容】
【００１１】
（第１発明）
前記技術的課題を解決するために、第１発明の技術文献情報表示システムは、下記の構
成要件（Ａ01）〜（Ａ06）を備えたことを特徴とする。
（Ａ01）技術文献に記載された技術内容毎に付与された技術分類情報を含む多数の技術文
献の情報を記憶する技術文献情報記憶手段（Ｃ１０１）、
（Ａ02）前記技術文献情報記憶手段（Ｃ１０１）に記憶された技術文献の中から抽出され
た技術文献の情報を記憶する抽出技術文献情報記憶手段（Ｃ２２Ａ）、
（Ａ03）前記抽出技術文献情報記憶手段（Ｃ２２Ａ）に記憶された抽出技術文献の技術分
類情報の出現頻度を抽出する頻度抽出手段（Ｃ２５）、
（Ａ04）前記技術分類情報と、前記技術分類情報に対応する技術内容を特定する技術内容
特定情報と、を有し、前記技術内容特定情報を前記技術分類情報に対応させて表示する技
術分類一覧表を記憶する技術分類一覧表記憶手段（Ｃ２０１）、
（Ａ05）前記頻度抽出手段（Ｃ２５）で抽出された前記技術分類情報の出現頻度を、前記
技術分類一覧表に付与した頻度情報付与一覧表（６１）であって、前記出現頻度が付与さ
れた前記技術分類情報と前記出現頻度が付与されていない前記技術分類情報とを含む前記
頻度情報付与一覧表（６１）を作成する頻度情報付与一覧表作成手段（Ｃ２８Ｄ）、
（Ａ06）前記頻度情報付与一覧表（６１）を表示する情報表示画面（Ｈ２）。
【手続補正３】
【補正対象書類名】明細書
【補正対象項目名】００１３
【補正方法】変更
【補正の内容】
【００１３】
頻度情報付与一覧表作成手段（Ｃ２８Ｄ）は、前記頻度抽出手段（Ｃ２５）で抽出され
た前記技術分類情報の出現頻度を、前記技術分類一覧表に付与した頻度情報付与一覧表（
６１）を作成する。情報表示画面（Ｈ２）は、前記頻度情報付与一覧表（６１）を表示す
る。前記頻度情報付与一覧表（６１）には、前記出現頻度が付与された前記技術分類情報
と前記出現頻度が付与されていない前記技術分類情報とが含まれる。
したがって、第１発明の技術文献情報表示システムでは、前記頻度情報付与一覧表（６
１）には、技術分類情報と、技術内容特定情報と、出現頻度とが含まれているので、ユー
ザは、抽出された技術文献の技術分類情報の出現頻度と、技術内容とを容易に理解するこ
とができる。また、出現頻度が付与されていない技術分類情報と技術内容も頻度情報付与
一覧表に表示されるので、抽出された技術文献が分類される技術内容だけでなく、技術文
献が分類されない技術内容も把握できる。この結果、ユーザが探している技術内容の技術
分類情報を把握することが容易にできたり、技術分類情報を利用して再検索したりするこ
とも可能となる。したがって、精度の良い技術文献の検索を行うことができる。
【手続補正４】
【補正対象書類名】明細書
【補正対象項目名】００１８
【補正方法】変更
【補正の内容】
【００１８】
（第２発明）
前記技術的課題を解決するために第２発明の技術文献情報表示装置は、下記の構成要件
（Ｂ01）〜（Ｂ04）を備えたことを特徴とする。
（Ｂ01）技術文献に記載された技術内容毎に付与された技術分類情報を含む多数の技術文
献の中から抽出された技術文献の情報を記憶する抽出技術文献情報記憶手段（Ｃ２２Ａ）
、
（Ｂ02）前記抽出技術文献情報記憶手段（Ｃ２２Ａ）に記憶された抽出技術文献の技術分
類情報の出現頻度を抽出する頻度抽出手段（Ｃ２５）、
（Ｂ03）前記技術分類情報に対応する技術内容を特定する技術内容特定情報を前記技術分
類情報に対応させて表示する技術分類一覧表に、前記頻度抽出手段（Ｃ２５）で抽出され
た前記技術分類情報の出現頻度を付与した頻度情報付与一覧表（６１）であって、前記出
現頻度が付与された前記技術分類情報と前記出現頻度が付与されていない前記技術分類情
報とを含む前記頻度情報付与一覧表（６１）を作成する頻度情報付与一覧表作成手段（Ｃ
２８Ｄ）、
（Ｂ04）前記頻度情報付与一覧表（６１）を表示する情報表示画面（Ｈ２）。
【手続補正５】
【補正対象書類名】明細書
【補正対象項目名】００１９
【補正方法】変更
【補正の内容】
【００１９】
（第２発明の作用）
前記構成要件（Ｂ01）〜（Ｂ04）を備えた第２発明の技術文献情報表示装置では、抽出
技術文献情報記憶手段（Ｃ２２Ａ）は、技術文献に記載された技術内容毎に付与された技
術分類情報を含む多数の技術文献の中から抽出された技術文献の情報を記憶する。頻度抽
出手段（Ｃ２５）は、前記抽出技術文献情報記憶手段（Ｃ２２Ａ）に記憶された抽出技術
文献の技術分類情報の出現頻度を抽出する。頻度情報付与一覧表作成手段（Ｃ２８Ｄ）は
、前記技術分類情報に対応する技術内容を特定する技術内容特定情報を前記技術分類情報
に対応させて表示する技術分類一覧表に、前記頻度抽出手段（Ｃ２５）で抽出された前記
技術分類情報の出現頻度を付与した頻度情報付与一覧表（６１）を作成する。情報表示画
面（Ｈ２）は、前記頻度情報付与一覧表（６１）を表示する。前記頻度情報付与一覧表（
６１）には、前記出現頻度が付与された前記技術分類情報と前記出現頻度が付与されてい
ない前記技術分類情報とが含まれる。
【手続補正６】
【補正対象書類名】明細書
【補正対象項目名】００２０
【補正方法】変更
【補正の内容】
【００２０】
したがって、第２発明の技術文献情報表示装置では、前記頻度情報付与一覧表（６１）
には、技術分類情報と、技術内容特定情報と、出現頻度とが含まれているので、ユーザは
、抽出された技術文献の技術分類情報の出現頻度と、技術内容とを容易に理解することが
できる。また、出現頻度が付与されていない技術分類情報と技術内容も頻度情報付与一覧
表に表示されるので、抽出された技術文献が分類される技術内容だけでなく、技術文献が
分類されない技術内容も把握できる。この結果、ユーザが探している技術内容の技術分類
情報を把握することが容易にできたり、技術分類情報を利用して再検索したりすることも
可能となる。したがって、精度の良い技術文献の検索を行うことができる。
【手続補正７】
【補正対象書類名】明細書
【補正対象項目名】００２３
【補正方法】変更
【補正の内容】
【００２３】
（第３発明）
前記技術的課題を解決するために第３発明の技術文献情報表示プログラムは、
コンピュータを、
技術文献に記載された技術内容毎に付与された技術分類情報を含む多数の技術文献の中
から抽出された技術文献の情報を記憶する抽出技術文献情報記憶手段（Ｃ２２Ａ）、
前記抽出技術文献情報記憶手段（Ｃ２２Ａ）に記憶された抽出技術文献の技術分類情報
の出現頻度を抽出する頻度抽出手段（Ｃ２５）、
前記技術分類情報に対応する技術内容を特定する技術内容特定情報を前記技術分類情報
に対応させて表示する技術分類一覧表に、前記頻度抽出手段（Ｃ２５）で抽出された前記
技術分類情報の出現頻度を付与した頻度情報付与一覧表（６１）であって、前記出現頻度
が付与された前記技術分類情報と前記出現頻度が付与されていない前記技術分類情報とを
含む前記頻度情報付与一覧表（６１）を作成する頻度情報付与一覧表作成手段（Ｃ２８Ｄ
）、
として機能させることを特徴とする。
【手続補正８】
【補正対象書類名】明細書
【補正対象項目名】００２４
【補正方法】変更
【補正の内容】
【００２４】
（第３発明の作用）
前記構成要件を備えた第３発明の技術文献情報表示プログラムでは、抽出技術文献情報
記憶手段（Ｃ２２Ａ）は、技術文献に記載された技術内容毎に付与された技術分類情報を
含む多数の技術文献の中から抽出された技術文献の情報を記憶する。
頻度抽出手段（Ｃ２５）は、前記抽出技術文献情報記憶手段（Ｃ２２Ａ）に記憶された抽
出技術文献の技術分類情報の出現頻度を抽出する。頻度情報付与一覧表作成手段（Ｃ２８
Ｄ）は、前記技術分類情報に対応する技術内容を特定する技術内容特定情報を前記技術分
類情報に対応させて表示する技術分類一覧表に、前記頻度抽出手段（Ｃ２５）で抽出され
た前記技術分類情報の出現頻度を付与した頻度情報付与一覧表（６１）を作成する。前記
頻度情報付与一覧表（６１）には、前記出現頻度が付与された前記技術分類情報と前記出
現頻度が付与されていない前記技術分類情報とが含まれる。
【手続補正９】
【補正対象書類名】明細書
【補正対象項目名】００２５
【補正方法】変更
【補正の内容】
【００２５】
したがって、第３発明の技術文献情報表示プログラムでは、前記頻度情報付与一覧表（
６１）には、技術分類情報と、技術内容特定情報と、出現頻度とが含まれているので、ユ
ーザは、抽出された技術文献の技術分類情報の出現頻度と、技術内容とを容易に理解する
ことができる。また、出現頻度が付与されていない技術分類情報と技術内容も頻度情報付
与一覧表に表示されるので、抽出された技術文献が分類される技術内容だけでなく、技術
文献が分類されない技術内容も把握できる。この結果、ユーザが探している技術内容の技
術分類情報を把握することが容易にできたり、技術分類情報を利用して再検索したりする
ことも可能となる。したがって、精度の良い技術文献の検索を行うことができる。